【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
少なくとも１つの第１トランジスタと少なくとも１つの第２トランジスタとを含み、
前記第１トランジスタのゲートおよび第１極は第１信号線に接続され、前記第１トランジスタの第２極は第２信号線に接続され、
前記第２トランジスタのゲートおよび第１極は前記第２信号線に接続され、前記第２トランジスタの第２極は前記第１信号線に接続され、
ここで、前記第１信号線および前記第２信号線は、アレイ基板上の任意の２つの隣接する信号線である、
静電気保護回路。
【請求項２】
前記第１トランジスタは、薄膜トランジスタであり、
前記第１トランジスタは、以下の条件の一つを満し、即ち、
前記第１トランジスタのゲートは、前記第１信号線と同層に配置され、
前記第１トランジスタの第１極及び第２極は、前記第１信号線と同層に配置される、
請求項１に記載の静電気保護回路。
【請求項３】
前記第２トランジスタは、薄膜トランジスタであり、
前記第２トランジスタは、以下の条件の一つを満し、即ち、
前記第２トランジスタのゲートは、前記第２信号線と同層に配置され、
前記第２トランジスタの第１極及び第２極は、前記第２信号線と同層に配置される、
請求項１に記載の静電気保護回路。
【請求項４】
前記第１トランジスタは薄膜トランジスタであり、
前記第１信号線は、異なる層に配置された第１導線と第２導線とを含み、前記第１導線のリード部分は、リード領域に設けられたオーバーホールによって前記第２導線のリード部分に接続され、
前記第１トランジスタのゲートは前記第１導線のリード部分で構成され、前記第１トランジスタの第１極は前記第２導線のリード部分で構成され、前記第１トランジスタの第２極は前記第２信号線のリード部分で構成される、
請求項１に記載の静電気保護回路。
【請求項５】
前記第２トランジスタは薄膜トランジスタであり、
前記第２信号線は、異なる層に配置された第３導線と第４導線とを含み、前記第３導線のリード部分は、リード領域に設けられたオーバーホールによって前記第４導線のリード部分に接続され、
前記第２トランジスタのゲートは前記第３導線のリード部分で構成され、前記第２トランジスタの第１極は前記第４導線のリード部分で構成され、前記第２トランジスタの第２極は前記第１信号線のリード部分で構成される、
請求項１に記載の静電気保護回路。
【請求項６】
各トランジスタのチャネルのアスペクト比は１／４以下である、
請求項１から５のいずれか１項に記載の静電気保護回路。
【請求項７】
各トランジスタのチャネルの前記アレイ基板上への正射影は、曲折された蛇行形状である、
請求項１から５のいずれか１項に記載の静電気保護回路。
【請求項８】
前記第１トランジスタは、以下の条件の一つを満し、即ち、
前記第１トランジスタのチャネルの前記アレイ基板上への正射影は、前記第１信号線の前記アレイ基板上への正射影内にあり、
前記第１トランジスタの第１極の前記アレイ基板上への正射影は、前記第１信号線の前記アレイ基板上への正射影内にある、
請求項１から５のいずれか１項に記載の静電気保護回路。
【請求項９】
前記第２トランジスタは、以下の条件の一つを満し、即ち、
前記第２トランジスタのチャネルの前記アレイ基板上への正射影は、前記第２信号線の前記アレイ基板上への正射影内にあり、
前記第２トランジスタの第１極の前記アレイ基板上への正射影は、前記第２信号線の前記アレイ基板上への正射影内にある、
請求項１から５のいずれか１項に記載の静電気保護回路。
【請求項１０】
各トランジスタの第１極と第２極の少なくとも一方のチャネルに近い端のアレイ基板上への正射影は、三角形または台形であり、前記三角形の先端は前記チャネルに向かって、前記台形の上底は下底に対して前記チャネルに近い、
請求項１から５のいずれか１項に記載の静電気保護回路。
【請求項１１】
各トランジスタのチャネルの第１極に近い端のアレイ基板上への正射影は、三角形または台形であり、前記三角形の先端は前記第１極に向かって、前記台形の上底は下底に対して前記第１極に近い、
請求項１から５のいずれか１項に記載の静電気保護回路。
【請求項１２】
各トランジスタのチャネルの第２極に近い端のアレイ基板上への正射影は、三角形または台形であり、前記三角形の先端は前記第２極に向かって、前記台形の上底は下底に対して前記第２極に近い、
請求項１から５のいずれか１項に記載の静電気保護回路。
【請求項１３】
各トランジスタのチャネルの第１極に近い端のアレイ基板上への正射影は、三角形または台形であり、前記三角形の先端は前記第１極に向かって、前記台形の上底は下底に対して前記第１極に近く、
各トランジスタのチャネルの第２極に近い端のアレイ基板上への正射影は、三角形または台形であり、前記三角形の先端は前記第２極に向かって、前記台形の上底は下底に対して前記第２極に近い、
請求項１から５のいずれか１項に記載の静電気保護回路。
【請求項１４】
少なくとも１つの第１トランジスタと少なくとも１つの第２トランジスタを形成することを含み、
ここで、前記第１トランジスタのゲートおよび第１極は第１信号線に接続され、前記第１トランジスタの第２極は第２信号線に接続され、前記第２トランジスタのゲートおよび第１極は前記第２信号線に接続され、前記第２トランジスタの第２極は前記第１信号線に接続され、前記第１信号線および前記第２信号線は、アレイ基板上の任意の２つの隣接する信号線である、
静電気保護回路の製造方法。
【請求項１５】
静電気保護回路の製造方法であって、
前記第１トランジスタは、薄膜トランジスタであり、
前記第１トランジスタは、以下の条件の一つを満し、即ち、
各前記第１トランジスタのゲートと前記第１信号線は、一次パターニングプロセスによって形成され、
前記第１トランジスタの第１極及び第２極と前記第１信号線は、一次パターニングプロセスによって形成される、
請求項１４に記載の方法。
【請求項１６】
静電気保護回路の製造方法であって、
前記第２トランジスタは、薄膜トランジスタであり、
前記第２トランジスタは、以下の条件の一つを満し、即ち、
前記第２トランジスタのゲートと前記第２信号線は、一次パターニングプロセスによって形成され、
前記第２トランジスタの第１極及び第２極と前記第２信号線は、一次パターニングプロセスによって形成される、
請求項１４に記載の方法。
【請求項１７】
静電気保護回路の製造方法であって、
各前記第１トランジスタは薄膜トランジスタであり、
前記第１信号線は、異なる層に形成された第１導線と第２導線とを含み、前記第１導線のリード部分は、リード領域に形成されたオーバーホールによって前記第２導線のリード部分に接続され、
各前記第１トランジスタのゲートは前記第１導線のリード部分で形成され、各前記第１トランジスタの第１極は前記第２導線のリード部分で形成され、各前記第１トランジスタの第２極は前記第２信号線のリード部分で形成される、
請求項１４に記載の方法。
【請求項１８】
請求項１から１３のいずれか１項に記載の静電気保護回路を含む、
アレイ基板。
【請求項１９】
前記アレイ基板上に複数の信号線が配置され、前記複数の信号線のうち、２つの隣接する信号線の間に前記静電気保護回路が配置される、
請求項１８に記載のアレイ基板。
【請求項２０】
請求項１８または請求項１９に記載のアレイ基板を含む、
表示装置。
【手続補正２】
【補正対象書類名】明細書
【補正対象項目名】発明の名称
【補正方法】変更
【補正の内容】
【発明の名称】静電気保護回路及びその製造方法、アレイ基板、表示装置
【手続補正３】
【補正対象書類名】明細書
【補正対象項目名】０００２
【補正方法】変更
【補正の内容】
【０００２】
本開示は静電気保護回路及びその製造方法、アレイ基板、表示装置に関するものである。
【手続補正４】
【補正対象書類名】明細書
【補正対象項目名】０００６
【補正方法】変更
【補正の内容】
【０００６】
本開示は、静電気保護回路及びその製造方法、アレイ基板、表示装置を提供する。技術案は以下の通りである。
【手続補正５】
【補正対象書類名】明細書
【補正対象項目名】０００８
【補正方法】変更
【補正の内容】
【０００８】
選択肢の一つとして、前記第１トランジスタは、薄膜トランジスタであり、前記第１トランジスタは、以下の条件の一つを満し、即ち、前記第１トランジスタのゲートは、前記第１信号線と同層に配置され、前記第１トランジスタの第１極及び第２極は、前記第１信号線と同層に配置される。
【手続補正６】
【補正対象書類名】明細書
【補正対象項目名】０００９
【補正方法】変更
【補正の内容】
【０００９】
選択肢の一つとして、前記第２トランジスタは、薄膜トランジスタであり、前記第２トランジスタは、以下の条件の一つを満し、即ち、前記第２トランジスタのゲートは、前記第２信号線と同層に配置され、前記第２トランジスタの第１極及び第２極は、前記第２信号線と同層に配置される。
【手続補正７】
【補正対象書類名】明細書
【補正対象項目名】００１４
【補正方法】変更
【補正の内容】
【００１４】
選択肢の一つとして、前記第１トランジスタは、以下の条件の一つを満し、即ち、前記第１トランジスタのチャネルの前記アレイ基板上への正射影は、前記第１信号線の前記アレイ基板上への正射影内にあり、前記第１トランジスタの第１極の前記アレイ基板上への正射影は、前記第１信号線の前記アレイ基板上への正射影内にある。
【手続補正８】
【補正対象書類名】明細書
【補正対象項目名】００１５
【補正方法】変更
【補正の内容】
【００１５】
選択肢の一つとして、前記第２トランジスタは、以下の条件の一つを満し、即ち、前記第２トランジスタのチャネルの前記アレイ基板上への正射影は、前記第２信号線の前記アレイ基板上への正射影内にあり、前記第２トランジスタの第１極の前記アレイ基板上への正射影は、前記第２信号線の前記アレイ基板上への正射影内にある。
【手続補正９】
【補正対象書類名】明細書
【補正対象項目名】００１９
【補正方法】変更
【補正の内容】
【００１９】
選択肢の一つとして、前記第１トランジスタは、薄膜トランジスタであり、前記第１トランジスタは、以下の条件の一つを満し、即ち、前記第１トランジスタのゲートと前記第１信号線は、一次パターニングプロセスによって形成され、前記第１トランジスタの第１極及び第２極と前記第１信号線は、一次パターニングプロセスによって形成される。
【手続補正１０】
【補正対象書類名】明細書
【補正対象項目名】００２０
【補正方法】変更
【補正の内容】
【００２０】
選択肢の一つとして、前記第２トランジスタは、薄膜トランジスタであり、前記第２トランジスタは、以下の条件の一つを満し、即ち、前記第２トランジスタのゲートと前記第２信号線は、一次パターニングプロセスによって形成され、前記第２トランジスタの第１極及び第２極と前記第２信号線は、一次パターニングプロセスによって形成される。
【手続補正１１】
【補正対象書類名】明細書
【補正対象項目名】００３５
【補正方法】変更
【補正の内容】
【００３５】
選択肢として、第１トランジスタＭ１の第１極１２及び第２極１３は、当該第１信号線Ｐ１と同層に配置されてもよい。第２トランジスタＭ２の第１極２２及び第２極２３は、当該第２信号線Ｐ２と同層に配置されてもよい。
【手続補正１２】
【補正対象書類名】明細書
【補正対象項目名】００４４
【補正方法】変更
【補正の内容】
【００４４】
本開示の実施例の選択可能な実施形態において、各信号線における各導線は、いずれもリード領域にあるリード部分と、周辺領域に伸びる導線部分とを含んでもよい。
【手続補正１３】
【補正対象書類名】明細書
【補正対象項目名】００５４
【補正方法】変更
【補正の内容】
【００５４】
選択肢の一つとして、本開示の実施例において、各トランジスタの第１極と第２極の少なくとも一方のチャネルに近い端のアレイ基板上への正射影は、三角形または台形であってもよく、当該三角形の先端はチャネルに向かって、当該台形の上底は下底に対してチャネルに近い。これにより、トランジスタの第１極及び第２極のうちの少なくとも１つとチャネルとの接触面積を減少させることができ、またはトランジスタの第２極とチャネルとの接触面積を減少させることができるため、トランジスタのリーク電流をさらに減少させ、静電気保護回路の静電気保護能力を向上させることができる。